(57)【要約】【課題】ロール状に巻かれたペーパを容易に一枚ずつ切り離して使用することができるワンカット式シートペーパを保持するペーパホルダを提供する。【解決手段】予備用の前記ワンカット式シートペーパを保持する第１保持部１１０と、第１保持部の下方に設けられた、使用中のワンカット式シートペーパを取り出すためのペーパ取出し口１４と、ペーパ取出し口から取り出されるワンカット式シートペーパの端部をロール状に巻き取られたワンカット式シートペーパの表面に押さえつけるように付勢する規制部１２２とを有し、使用中のワンカット式シートペーパを保持する第２保持部１２０と、使用中のワンカット式シートペーパがなくなったときに、第２保持部に保持している使用済のワンカット式シートペーパの芯部を下方に落下させると共に、第１保持部が保持する予備のワンカット式シートペーパを前記第２保持部に落下させる供給機構２１と、を具備する。【選択図】    図１
2004222783.tif 000002
【特許請求の範囲】
【請求項１】
シート状ペーパの端部同士を、切り離し自在となるように接合してロール状に巻取り擬似ロール状ペーパとしたワンカット式シートペーパを保持するホルダであって、
予備用の前記ワンカット式シートペーパを供給するための供給口を有し、予備用の前記ワンカット式シートペーパを保持する第１保持部と、
前記第１保持部の下方に設けられた、使用中の前記ワンカット式シートペーパを取り出すためのペーパ取出し口と、前記ペーパ取出し口から取り出される前記ワンカット式シートペーパの端部をロール状に巻き取られた前記ワンカット式シートペーパの表面に押さえつけるように付勢する規制部とを有し、使用中の前記ワンカット式シートペーパを保持する第２保持部と、
使用中のワンカット式シートペーパがなくなったときに、前記第２保持部に保持している使用済のワンカット式シートペーパの芯部を下方に落下させると共に、前記第１保持部が保持する予備のワンカット式シートペーパを前記第２保持部に落下させる供給機構と、
を具備することを特徴とするワンカット式シートペーパホルダ。
【請求項２】
前記規制部は、利用者が前記ペーパ取出し口から引き出されたワンカット式シートペーパの端部を引っ張ったときに、前記ワンカット式シートペーパが破れない強さで、且つ、前記ワンカット式シートペーパの接合した部分が前記ペーパ取出し口から外側に引き出されたときには、前記接合した部分が剥がれる強さで付勢されていることを特徴とする請求項１記載のワンカット式シートペーパホルダ。
【請求項３】
前記芯部は少なくとも両端部が中空状のものであり、
且つ前記供給機構は、前記第１保持部に設けられた、常時はワンカット式シートペーパを保持する閉状態に付勢された、下方に回動自在な開閉バーと、
前記第２保持部の下方に設けられた、前記ワンカット式シートペーパが前記第１保持部から第２保持部に落下したときに、落下した前記ワンカット式シートペーパを受け止めて支持すると共に、前記芯部は落下可能な支持部材と、
前記第２保持部に設けられた、少なくとも一方の側が前記ワンカット式シートペーパの長手方向に移動自在に構成され、前記支持部材に支持された前記ワンカット式シートペーパの前記芯部の中空部に挿入されることにより、前記芯部を両側から支持して前記ワンカット式シートペーパを前記第２保持部に保持する第１の状態と、前記ワンカット式シートペーパの支持を解消する第２の状態とを有する一組の芯受部と、
前記ワンカット式シートペーパの長手方向に移動自在に設けられた、前記開閉バーの回動を阻止して閉状態としたり、前記開閉バーの回動を自在にして開状態としたりする係合部と、
常時は前記係合部が前記開閉バーを閉状態とするように及び前記移動自在な芯受部が前記第１の状態になるように付勢する付勢部材と、
前記付勢部材の付勢に逆らって前記係合部が前記開閉バーを開状態とするように且つ前記移動自在な芯受部を前記第２の状態にして使用済みの前記芯部を下方に落下させるための把持部と、
を備えることを特徴とする請求項１又は２記載のワンカット式シートペーパホルダ。
【請求項４】
前記芯受部の先端部はテーパ状に形成され、且つ前記芯受部の中心軸は、前記支持部材により支持されている未使用の前記ワンカット式シートペーパの中心軸より、上方に位置するように設けられ、前記芯受部により前記未使用のワンカット式シートペーパを保持したときに、前記支持部材により支持されている前記未使用のワンカット式シートペーパを若干上方に持ち上げるようにして保持することを特徴とする請求項１、２又は３記載のワンカット式シートペーパホルダ。
【請求項５】
前記ワンカット式シートペーパの使用済みの芯部を取り出す芯部取出し口を供えた、前記使用済みの芯部を保持する第３保持部を、前記支持部材の下方に設けたことを特徴とする請求項１、２、３又は４記載のワンカット式シートペーパホルダ。
【請求項６】
前記第１保持部の供給口に上部開閉扉が設けられ、前記第３保持部の芯部取出し口に下部開閉扉が設けられていることを特徴とする請求項１、２、３、４又は５記載のワンカット式シートペーパホルダ。
【発明の詳細な説明】
【０００１】
【発明の属する技術分野】
本発明は、シート状ペーパをロール状に巻き取ったロール状ペーパを保持するワンカット式シートペーパホルダに関するものである。
【０００２】
【従来の技術】
本出願人は、既に、シート状ペーパの端部同士を、切り離し自在となるように接合してロール状に巻取り擬似ロール状ペーパとしたワンカット式シートペーパを出願している（特願２００２−２４５６３８号）。この特願２００２−２４５６３８号の発明に係るワンカット式シートペーパは、具体的には、例えば便座上面に敷く便座シートとして用いられる。このワンカット式シートペーパを便座シートとして使用する場合、便座シートを保持するホルダが必要となる。かかる便座シート用のホルダとしては、例えば特開平１０−１４８１９号公報に開示されているシートロールホルダがある。
【０００３】
【特許文献１】
特開平１０−１４８１９号公報
【０００４】
【発明が解決しようとする課題】
ところで、従来の便座シートは、連続して形成された便座シートをロール状に巻き取ったものであり、使用するときには一枚毎に切断して使用するものである。しかしながら、便座シートはトイレットペーパと異なりシートの幅が広いので、お年寄りや身障者にとっては、例え、切り取り用のミシン目が形成されているものでも、幅広の便座シートを切断するのは容易ではない。
【０００５】
また、便座シートに限らず、例えば台所で使用されるロール状に巻かれたペーパタオル等についても、同様の問題がある。
【０００６】
本発明は上記事情に基づいてなされたものであり、健常者だけでなく、お年寄りや身障者もロール状に巻かれたペーパを容易に一枚ずつ切り離して使用することができるワンカット式シートペーパを保持するワンカット式シートペーパホルダを提供することを目的とする。
【０００７】
【課題を解決するための手段】
上記目的を達成するために本発明に係るワンカット式シートペーパホルダは、シート状ペーパの端部同士を、切り離し自在となるように接合してロール状に巻取り擬似ロール状ペーパとしたワンカット式シートペーパを保持するホルダであって、予備用の前記ワンカット式シートペーパを供給するための供給口を有し、予備用の前記ワンカット式シートペーパを保持する第１保持部と、前記第１保持部の下方に設けられた、使用中の前記ワンカット式シートペーパを取り出すためのペーパ取出し口と、前記ペーパ取出し口から取り出される前記ワンカット式シートペーパの端部をロール状に巻き取られた前記ワンカット式シートペーパの表面に押さえつけるように付勢する規制部とを有し、使用中の前記ワンカット式シートペーパを保持する第２保持部と、使用中のワンカット式シートペーパがなくなったときに、前記第２保持部に保持している使用済のワンカット式シートペーパの芯部を下方に落下させると共に、前記第１保持部が保持する予備のワンカット式シートペーパを前記第２保持部に落下させる供給機構と、を具備することを特徴とするものである。
【０００８】
【発明の実施の形態】
以下に、本発明の１実施形態について図面を参照して説明する。図１は、本発明の１実施形態であるワンカット式シートペーパホルダに使用するワンカット式シートペーパの概略斜視図である。図１に示す本実施形態のワンカット式シートペーパ１は、シート状ペーパ５と、隣り合うシート状ペーパ５の端部同士を重ね合せて接合した接合部２と、接合したシート状ペーパ５を巻き取るための紙管（芯部）６と、各シート状ペーパに形成された垂下部３とを有する。本実施形態のワンカット式シートペーパは、複数のシート状ペーパ５をロール状に巻き取って擬似ロール状ペーパとしたものであり、使用するときには、軽く引っ張るだけで、各シート状ペーパを隣り合うシート状ペーパから容易に切り離すことができる。本シート状ペーパ５は便座の上面に敷いて使用する便座シートであり、垂下部３の先端部を便器内に落とし込んで使用するものである。このワンカット式シートペーパの製造方法は前述した特願２００２−２４５６３８号に開示されているので、ここでは、その詳細な説明は省略する。
【０００９】
図２及び図３は、本発明の１実施形態であるワンカット式シートペーパホルダを示す概略図であり、（ａ）はそのワンカット式シートペーパホルダの概略正面図、（ｂ）はその概略平面図、（ｃ）はその概略右側面図、（ｄ）はその概略底面図、（ｅ）はその概略左側面図である。図４は本実施形態のワンカット式シートペーパホルダの内部の状態を説明するための概略右側面図である。
【００１０】
図２等に示すように、本実施形態のワンカット式シートペーパホルダは、予備用のワンカット式シートペーパ１ａを保持する第１保持部１１０と使用中のワンカット式シートペーパ１ｂを保持する第２保持部１２０と使用済みの紙管６を保持する第３保持部１３０とを有するホルダ本体部１１と、使用中のワンカット式シートペーパ１ｂがなくなったときに、第２保持部１２０に保持している使用済のワンカット式シートペーパ１ｂの紙管６を前記第３保持部１３０に落下させると共に、第１保持部１１０が保持する予備のワンカット式シートペーパ１ａを第２保持部１２０に落下させる供給機構２１と、を備えている。また、図４等に示すように、第１保持部１１０には予備のワンカット式シートペーパ１ａをセットするための供給口１２が設けられ、第２保持部１２０には使用中のワンカット式シートペーパの端部を取り出すためのペーパ取出し口１４が設けられ、第３保持部１３０には、使用済みの芯管６を取り出すための紙管取出し口１３が設けられている。供給口１２には、上部開閉扉１２ａが蝶番１２ｂによりホルダ本体部１１に開閉自在に設けられている。この上部開閉扉１２ａは施錠装置１２ｃによりロックすることが可能である。紙管取出し口１３にも、下部開閉扉１３ａが、蝶番１３ｂによりホルダ本体部１１に開閉自在に設けられている。下部開閉扉１３ａも、施錠装置１３ｃによりロックすることが可能である。なお、ホルダ本体部１１の正面の上部に形成された長穴１２ｄは、予備用のワンカット式シートペーパがセットされているか否かを外部から観察するための観察用窓である。
【００１１】
第１保持部１１０の下部には、図４等に示すように、予備用のワンカット式シートペーパ１ａを保持するための一組の開閉バー１１１ａ、１１１ｂが設けられている。この開閉バー１１１ａ、１１１ｂは、市販のばね付き蝶番１１２により、常時は略水平となるように付勢されて、ホルダ本体部１１に回動自在に設けられている。ばね付き蝶番１１２は、図４に示すように、ヒンジ片１１２ａの結合部１１２ｂがホルダ本体部１１に押し付けられることがないように、スペーサ１１２ｃを介してホルダ本体部１１に取り付けられている。すなわち、開閉バー１１１は、ばね付き蝶番１１２のスプリング（不図示）により略水平に保持される閉状態と、落下する予備用のワンカット式シートペーパ１ａにより略垂直に押し広げられる開状態とを有する。なお、一組の開閉バーの代わりに、一方の側に一つだけ開閉バーを設けるようにしてもよい。また、第１保持部１１０には、図５等に示すように、供給される予備用のワンカット式シートペーパ１ａを所定の位置に案内するための一組の側部ガイド１１３ａ、１１３ｂが設けられている。なお、図５（ａ）は、本実施形態のワンカット式シートペーパホルダの正面の板を取り去ったときの内部の状態を示す概略正面図であり、（ｂ）は同様に上部の板を取り去ったときの内部の状態を示す概略平面図である。また、図５（ｂ）では、後述する係合片２４ｂの状態を描くために、右側の側部ガイド１１３ｂの上部は切り欠いている。供給口１２から第１保持部１１０にセットされたワンカット式シートペーパは、側部ガイド１１３により、その長手方向における位置が規制され、ホルダ本体１１内の所定の位置に保持される。
【００１２】
第２保持部１２０には、図２、図３、図４及び図５に示すように、使用中のワンカット式シートペーパ１ｂを両側から保持するための一組の芯受部１２１ａ、１２１ｂと、図４等に示すようにペーパ取出し口１４から取り出されるワンカット式シートペーパの端部１ｄをロール状に巻き取られたワンカット式シートペーパの表面に押さえつけるように付勢するための規制部１２２とが設けられている。左側の芯受部１２１ａはホルダ本体１１に固定され、その先端部は略円錐状に形成されている。右側の芯受部１２１ｂは、図５（ａ）等に示すように軸１２２を介してホルダ本体１１に摺動自在に設けられている。また、右側の芯受部１２１ｂの先端部も、左側の芯受部１２１ａと同様に略円錐状に形成されている。また、芯受部１２１は、その中心軸がガイドバー３１に保持された未使用のワンカット式シートペーパの中心軸の位置より、若干、すなわち５〜１０ミリ位、上方に位置するようにホルダ本体部１１に取り付けられている。したがって、芯受部１２１ａ、１２１ｂの先端部が紙管６に挿入されると、略円錐状の先端部により、ワンカット式シートペーパは若干上方に持ち上げられるようにして第２保持部１２０に保持される。これにより、ワンカット式シートペーパとガイドバー３１との摩擦を軽減して、より小さい力でペーパを外部に引き出すことが可能となる。ワンカット式シートペーパとガイドバー３１との摩擦が大きいと、ペーパ取出し口の外側に引き出されたワンカット式シートペーパの端部を引っ張ってペーパを引き出すときに、ホルダ内に位置する接合部が剥がれてしまうおそれがあるからである。なお、芯受部の中心軸とガイドバー３１に保持された未使用のワンカット式シートペーパの中心軸とが一致するように、芯受部を配置してもよい。この場合、ガイドバーを回転自在な構成とすることにより、ワンカット式シートペーパとガイドバーとの摩擦を低減することができる。更に、芯受部１２１の先端部の形状は、円錐状のものに限定されるものではなく、例えば、図２（ａ）の前後方向の一部を削りとった形状でもよいし、或いは先端部の最先端部を削りとって、先端部の断面形状を略台形状としたものであってもよい。更に、芯受部１２１の先端部の形状は、２枚の三角状の板を直交させて形成したものでもよい。
【００１３】
規制部１２２は、図４等に示すように、ホルダ本体部１１に固定された一対の軸１２３と、両端部が軸１２３、１２３を介してホルダ本体部１１に回動自在に設けられた規制板１２４と、規制板１２４をワンカット式シートペーパの表面に押し付けるように付勢するスプリング１２５とを有する。規制板１２４の反時計方向の移動は、第１保持部１１０に収納したワンカット式シートペーパの自然落下を大きく妨げることがないように、その先端部が芯受部の略中心軸近傍まで移動可能に構成されている。また、規制板１２４の時計方向の移動は、大きければ大きい程、第２保持部１２０に保持されたワンカット式シートペーパの端部１ｄを最初にペーパ取出し口１４から手で取り出すときに、その取出し作業が容易となる。本実施形態では、図４に示すように、規制板１２４が略水平となる位置まで移動可能に構成している。
【００１４】
第２保持部１２０と第３保持部１３０の間には、ワンカット式シートペーパの長手方向に沿って、使用済みの紙管６が落下できる間隔で、しかし未使用のワンカット式シートペーパの落下を阻止する二本のガイドバー（支持部材）３１、３１が設けられている。第３保持部１３０には、使用済みの紙管６を２，３本収納することができる。
【００１５】
本実施形態の供給機構２１は、上述した、開閉バー１１１、芯受部１２１及びガイドバー３１の他に、図５（ａ）等に示すように操作用の把持部２２と、把持部２２に固定されたプレード２３と、プレード２３に固定された係合部２４と、係合部２４の軸２４ａと芯受部１２１ｂの軸１２２とを摺動自在に保持する軸受部２５と、スプリング２６とを有する。軸受部２５は、ホルダ本体部１１に固定される。把持部２２とプレート２３はワンカット式シートペーパの長手方向に移動自在に設けられている。スプリング２６は、一方の端部が軸受部２５に、他端が芯受部１２１ｂの先端部の後端に係合するように設けられ、把持部２２やプレート２３等を本ホルダの中心方向（図５及び図６の左側方向）に付勢する。係合部２４は、軸２４ａと、開閉バー１１１ａ、１１１ｂの一方の端部（本実施形態の場合、右側の端部）と係合して開閉バーが開くのを阻止する係合片２４ｂとを有する。係合部２４の係合片２４ｂは、常時は、スプリング２６により図５の左側方向に付勢され、開閉バー１１１ａ、１１１ｂの回動を阻止して開閉バーを閉状態とする。また、把持部２２が図５の右側方向に引っ張られたときには、開閉バー１１１ａ、１１１ｂとの係合を解消して、開閉バーを回動自在な開状態とする。
【００１６】
［実施形態の動作］  以下、図６、図７及び図８をも参照して本実施形態のワンカット式シートペーパホルダの動作について説明する。なお、図６（ａ）は、供給機構を操作して予備用のワンカット式シートペーパを第２保持部に供給した場合において、正面の板を取り去ったときの内部の状態を示す概略正面図であり、（ｂ）はその場合において、上部の板を取り去ったときの内部の状態を示す概略平面図である。図７は、第１保持部１１０に収納された予備用のワンカット式シートペーパを第２保持部に供給する様子を示す概略右側面図である。図８は、規制部１２２の動作を説明するための図である。
【００１７】
先ず、本実施形態のワンカット式シートペーパホルダにワンカット式シートペーパをセットするときの動作について説明する。本実施形態のワンカット式シートペーパホルダを使用するときには、先ず、上部開閉扉１２ａを開けて、供給口１２からワンカット式シートペーパを第１保持部１１０にセットする。このとき、本実施形態のワンカット式シートペーパは図１に示すように、下流側（端部側）のシートの後端部と上流側（紙管側）のシートの先端部とを接合する際に、下流側のシートの後端部が上流側のシートの先端部より紙管側に位置するようにして紙管に巻き取られている。このため、本ワンカット式シートペーパを第１保持部にセットするときには、図４に示すように、ワンカット式シートペーパを右側方向から見たときに、ペーパが時計方向に巻き取られて見えるようにセットする。ワンカット式シートペーパの向きを逆方向にセットすると、ペーパをペーパ取出し口１４から外側に引き出すときに、紙管に巻き取れられている接合部が規制板１２４の先端に引っ掛り接合部が剥がれるおそれがあるからである。セットされたワンカット式シートペーパは、その長手方向における位置が側部ガイド１１３により規制され、且つ開閉バー１１１により第２保持部１２０に落下することなく、第１保持部１１０に保持される。図７（ａ）は、このようにしてワンカット式シートペーパが第１保持部１１０に保持された様子を示す図である。
【００１８】
このように、予備用のワンカット式シートペーパが第１保持部１１０に保持された状態で、次に、供給機構２１の把持部２２を手で掴んで、図５（ａ）に示すワンカット式シートペーパの長手方向の右側方向に引っ張る。これにより、図６（ａ）、（ｂ）に示すように係合部２４の係合片２４ｂと開閉バー１１１との係合が解消され、図７（ｂ）に示すように、開閉バー１１１はワンカット式シートペーパの自重により押し広げられて開状態となり、第１保持部１１０に保持されたワンカット式シートペーパは、図７（ｃ）に示すように第２保持部１２０に落下する。本実施形態のワンカット式シートペーパは、直径が約７０ミリ、長さが約３８０ミリ、重さが約８００グラムである。したがって、開閉バー１１１と係合片２４ｂとの係合が解消されると、ワンカット式シートペーパは、開閉バー１１１を略水平（閉状態）に付勢するばね付き蝶番１１２の付勢力に逆らって、その自重で第２保持部に自然落下する。落下したワンカット式シートペーパは、第２保持部１２０と第３保持部１３０との間に設けられた二本のガイドバー３１により保持される。次に、図６に示すように右側方向に引っ張った把持部２２を元の位置に戻して図５に示す状態とする。これにより芯受部１２１の略円錐状に形成された先端部が紙管６の中空部に挿入される。芯受部１２１は、その中心軸が、ガイドバー３１に保持された状態の未使用のワンカット式シートペーパの中心軸の位置より、若干、すなわち５〜１０ミリ位上方に位置するように設けられている。したがって、芯受部１２１が紙管６に挿入されると、芯受部１２１により、ワンカット式シートペーパは若干上方に持ち上げられた状態で、第２保持部１２０に保持される。また、ワンカット式シートペーパが第１保持部１１０から第２保持部１２０に落下すると、開閉バー１１１は、ばね付き蝶番１１２のスプリングにより閉状態（略水平）に戻され、また、把持部２２が元に戻されると、図５等に示すように開閉バー１１１と係合部２４の係合片２４ｂとが係合し、以後、開閉バー１１１は、新たに予備用のワンカット式シートペーパがセットされても閉状態を維持する。
【００１９】
次に、第２保持部１２０に保持されたワンカット式シートペーパの端部１ｄを図４に示すように、ペーパ取出し口１４から手で外側に引き出す。このとき、規制部１２２の規制板１２４が邪魔になるので、規制板１２４は手前側（図４の左側）の上方に押し上げて、作業を行なう。新しいワンカット式シートペーパを第２保持部１２０に保持したときには、図８（ａ）に示すように、規制板１２４は、スプリング１２５により付勢されてワンカット式シートペーパの表面に押し当てられる。この状態で規制板１２４を上方に持ち上げると、図８（ｂ）に示すように、スプリング１２５が規制部１２２の軸１２３より上方に位置するようになり、スプリング１２５の付勢により規制板１２４はペーパ取出し口１４の上端に当接する位置に維持される。これにより、ワンカット式シートペーパの端部をペーパ取出し口１４から手で引き出すときに、規制板１２４を手で上方に押さえておく必要がなくなり、端部の引き出し作業が容易となる。
【００２０】
図４に示すように、ワンカット式シートペーパの端部１ｄを外側に引き出したら、規制板１２４を図８（ａ）に示す元の位置に戻す。以上で、使用するワンカット式シートペーパのセットが終了する。これにより、ワンカット式シートペーパを使用することができる状態となる。なお、本実施形態のワンカット式シートペーパホルダは、使用するワンカット式シートペーパの他に、もう一つ予備用のワンカット式シートペーパを収納することができる。上述した方法と同様にして、上部開閉扉１２ａを開けて、供給口１２から第１保持部１１０に予備用のワンカット式シートペーパをセットする。セットされたワンカット式シートペーパは開閉バー１１１により第１保持部１１０に保持される。このように、本実施形態のホルダは、使用中のワンカット式シートペーパの他に予備用のワンカット式シートペーパを保持することができる。
【００２１】
トイレの利用者がワンカット式シートペーパ（便座シート）を使用するときには、ペーパ取出し口１４から外側に引き出されているワンカット式シートペーパの端部１ｄを更に引き出して、ワンカット式シートペーパの接合部２を規制板１２４の外側まで引き出す。すると、規制板１２４によって接合部２の上流側がワンカット式シートペーパのロール表面に押し当てられ、下流側が利用者によって引っ張られるので、接合部２の接合が剥がれて、一枚の便座シートを取り出すことができる。ここで、スプリング１２５は、利用者がワンカット式シートペーパの端部を引っ張ったときにペーパが破れない強さで、且つ、上述したように接合部２の上流側が規制板１２４によりワンカット式シートペーパのロール表面に押し当てられ、下流側が利用者によって引っ張られたときには、接合部２の接合を剥がすことできる強さで、規制板１２４を付勢する。なお、このスプリング１２５の付勢力が弱まったとき、或いはワンカット式シートペーパの接合部２の接合が所定の強さより強固なものであるときには、接合部２を外側に引き出した状態で左右何れかの端部或いは左右両方の端部を上方又は下方に引っ張ると、接合部２の接合を簡単に剥がすことができる。本実施形態のホルダでは、ワンカット式シートペーパ（便座シート）の端部を引っ張り出すだけで、或いは上方又は下方に引っ張るだけで、簡単且つ確実に一枚の便座シートを取り出すことができるので、健常者だけでなく、お年寄りや身障者も容易に便座シートを利用することが可能となる。便座シートの使用後の処理は、他の便座シートと同様であるので、その詳細な説明は省略する。第２保持部１２０に保持された使用中のワンカット式シートペーパを使い終わると、図８に（ｃ）に示す状態となる。
【００２２】
次に、第２保持部１２０に保持したワンカット式シートペーパを使い終わったときの動作について説明する。利用者は、第１保持部１１０に収納した予備用のワンカット式シートペーパを簡単に第２保持部にセットすることができる。まず、把持部２２を持って、図５等の右側方向に引っ張る。これにより、係合部２４が右側方向にスライドし、係合片２４ｂと開閉バー１１１との係合が解消され、第１保持部１１０に保持された予備用のワンカット式シートペーパが第２保持部１２０に自重で自然落下し、ガイドバー３１、３１により保持される。これと同時に、使用済みワンカット式シートペーパの紙管６と芯受部１２１ａ、１２１ｂとの係合が解消され、紙管６は、ガイドバー３１、３１の間を通りぬけて下方の第３保持部１３０に落下する。新しいワンカット式シートペーパが第２保持部に保持されたことを確認して、把持部２２を元の位置に戻す。次に、上述したように、規制板１２４を上方に押し上げて、第２保持部１２０に新たにセットされたワンカット式シートペーパの端部を外側に引き出し、規制板１２４を元の位置に戻す。これにより、利用者でも、簡単に、新たなワンカット式シートペーパ（便座シート）を第２保持部にセットすることができる。
【００２３】
トイレの管理者は、所定期間毎に、本実施形態のホルダ内のワンカット式シートペーパの使用状況を管理し、長穴１２ｃからホルダ内の予備用のワンカット式シートペーパの有無を点検する。予備用のワンカット式シートペーパがなくなっているときには、上述した方法により、新たな予備用のワンカット式シートペーパを補充する。また、下部開閉扉１３を開けて、第３保持部１３０に保持されている使用済みの紙管６を回収する。本実施形態で使用するワンカット式シートペーパの紙管６を再利用するためである。
【００２４】
［実施形態の効果］上記の本実施形態のワンカット式シートペーパホルダによれば、カットするのではなく、軽く引っ張るだけで、一枚のシート状ペーパ（便座シート）に切り離すことができるので、手の不自由なお年寄りや身障者であっても、ロール状に巻かれたシートから容易且つ確実に一枚のシート状ペーパ（便座シート）に切り離すことができる。また、便座シートを折り畳んで収納する場合に比べで、便座シートを接合してロール状に巻き取って収納することにより、省スペース化を図ることができる。
【００２５】
［他の実施形態］  本発明は、上記の実施形態に限定されるものではなく、その要旨の範囲内において種々の変形が可能である。例えば、上部開閉扉や下部開閉扉は省略することも可能である。また、第３保持部を省略して使用済みの紙管は下方に落下させるようにしてもよい。また、上記の実施形態では、スプリングとして、コイル状のものを使用したが、スプリングは、これに限定されるものではなく、板状のもの或いは弾力性のあるゴム等であってもよい。
【００２６】
また、上記の実施形態では、図４に示すように、ワンカット式シートペーパを、右側方向から見たときに、ペーパが時計方向に巻き取られて見えるように第１保持部にセットしている。本発明は、これに限定されるものではなく、例えば、規制部を上下逆に配置することにより、ワンカット式シートペーパを図４に示す向きと逆向きに（ペーパが反時計方向に巻き取られて見えるように）セットすることも可能である。この場合、引っ張っただけで接合部を剥がすことができないときには、利用者はペーパの左右の端部を上方又は下方に引っ張ることにより、容易に接合部を剥がすことができる。また、本実施形態の規制部の先端部を図４において左側に折り曲げたり、曲げ加工したりすることにより、規制部とペーパの接合部との引っ掛りを回避することができ、したがってワンカット式シートペーパの向きを何れの方向にセットすることも可能となる。
【００２７】
また、上記の実施形態では、紙管が中空のパイプ状のものである場合について説明したが、紙管は、少なくとも両端部が中空状に形成されていればよい。
【００２８】
更に、上記の実施形態では、ワンカット式シートペーパが便座シートである場合について説明したが、本発明はこれに限定されるものではなく、シート状ペーパの端部同士を接合したものであれば、例えばワンカット式シートペーパは台所で使用するペーパタオル等であってもよい。
【００２９】
【発明の効果】
以上説明したように本発明によれば、シート状ペーパの端部同士を、切り離し自在となるように接合してロール状に巻取り擬似ロール状ペーパとしたワンカット式シートペーパを、軽く引っ張るだけで、容易且つ確実に一枚のシート状ペーパに切り離すことができ、したがって手の不自由なお年寄りや身障者でも、一枚のシート状ペーパに容易に切り離すことができるワンカット式シートペーパホルダを提供することができる。
【図面の簡単な説明】
【図１】本発明の１実施形態であるワンカット式シートペーパホルダに使用するワンカット式シートペーパの概略斜視図である。
【図２】本発明の１実施形態であるワンカット式シートペーパホルダを示す概略図であり、（ａ）は本発明の１実施形態であるワンカット式シートペーパホルダの概略正面図、（ｂ）はその概略平面図、（ｃ）はその概略右側面図である。
【図３】本発明の１実施形態であるワンカット式シートペーパホルダを示す概略図であり、（ｄ）はその概略底面図、（ｅ）はその概略左側面図である。
【図４】本実施形態のワンカット式シートペーパホルダの内部の状態を説明するための概略右側面図である。
【図５】（ａ）は、本実施形態のワンカット式シートペーパホルダの正面の板を取り去ったときの内部の状態を示す概略正面図であり、（ｂ）は同様に上部の板を取り去ったときの内部の状態を示す概略平面図である。
【図６】（ａ）は、供給機構を操作して予備用のワンカット式シートペーパを第２保持部に供給した場合において、正面の板を取り去ったときの内部の状態を示す概略正面図であり、（ｂ）はその場合において、上部の板を取り去ったときの内部の状態を示す概略平面図である。
【図７】第１保持部１１０に収納された予備用のワンカット式シートペーパを第２保持部に供給する様子を示す概略右側面図である。
【図８】規制部１２２の動作を説明するための図である。
【符号の説明】
１：ワンカット式シートペーパ、  １ａ：予備用のワンカット式シートペーパ、  １ｂ：使用中のワンカット式シートペーパ、  ２：接合部、  ３：垂下部、５：シート状ペーパ、  ６：紙管、  １１：ホルダ本体部、  １２：供給口、１３：紙管取出し口、  １４：ペーパ取出し口、  ２１：供給機構、２２：把持部、  ２３：プレート、  ２４：係合部、  ２５：軸受部、  ２６：スプリング、  ３１：ガイドバー、  １１０：第１保持部、  １１１：開閉バー、  １１２：ばね付き蝶番、  １１３：側部ガイド、  １２０：第２保持部、  １２１：芯受部、  １２２：規制部、  １２３：軸、  １２４：規制板、  １２５：スプリング、  １３０：第３保持部
【図１】
2004222783.tif 000003
【図２】
2004222783.tif 000004
【図３】
2004222783.tif 000005
【図４】
2004222783.tif 000006
【図５】
2004222783.tif 000007
【図６】
2004222783.tif 000008
【図７】
2004222783.tif 000009
【図８】
2004222783.tif 000010